(57)【特許請求の範囲】
【請求項１】
目地部を介して建てられた左右の建物の壁面間の目地部を覆う一端部が一方の建物の躯体にヒンジ部材を介して回動可能に取付けられ、他端部が他方の建物の壁面に沿ってスライド移動可能な目地カバーと、この目地カバーの遊端部である他端部を常時他方の建物の壁面に当接するように付勢する付勢機構と、前記目地カバーの遊端部である他端部が地震等で目地部が広がった時に、前記目地部内へ入り込むのを阻止する該目地部の隙部間にコイルスプリングやゴム等の付勢部材を介して張り渡されたワイヤー等の目地カバー侵入阻止杆とからなることを特徴とする壁面用目地装置。
【請求項２】
目地部を介して建てられた左右の建物の壁面間の目地部を覆う一端部が一方の建物の躯体にヒンジ部材を介して回動可能に取付けられ、他端部が他方の建物の壁面に沿ってスライド移動可能な目地カバーと、この目地カバーの遊端部である他端部を常時他方の建物の壁面に当接するように付勢する、他方の建物の目地部の端部の躯体に固定された、該目地カバー側が傾斜面に形成されたガイド部材、このガイド部材にガイドされて前記目地カバーを付勢するコイルスプリングを用いた付勢部材を介して張り渡されたワイヤーを用いた付勢杆とからなる付勢機構と、前記目地カバーの遊端部である他端部が地震等で目地部が広がった時に、前記目地部内へ入り込むのを阻止する一端部が前記付勢機構のガイド部材の傾斜面部位に取付けられ、前記ヒンジ部材寄りの部位に設けられたガイド部材を介して一方の建物の躯体に固定されたコイルスプリングを用いた付勢部材を介して張り渡されたワイヤーを用いた目地カバー侵入阻止杆とからなることを特徴とする壁面用目地装置。
【発明の詳細な説明】
【０００１】
【発明の属する技術分野】
本発明は目地部を介して建てられた左右の建物の内壁面間や外壁面間の目地部を覆う壁面用目地装置に関する。
【０００２】
【従来の技術】
従来の壁面用目地装置は、目地部の両端部寄りの左右の建物の壁面部位を両端部で覆うことができる目地カバーと、この目地カバーを常時左右の建物の壁面部位に当接するように取付ける取付け具とで構成されている。
【０００３】
【発明が解決しようとする課題】
従来の壁面用目地装置は地震等によって目地部が広くなっても目地カバーで覆うようにするには広幅の目地カバーを用いなければならず、大型で重くなり、コスト高になるという欠点があった。
また、目地カバーを目地部の幅寸法よりもわずかに大きいものを用いた場合には、前記欠点を解消することができるが、目地部が広くなった場合、目地カバーの両端部が左右の建物の壁面より外れ、元に戻る時に目地カバーや取付け具を左右の建物の躯体によって損傷させてしまうという欠点があった。
【０００４】
本発明は以上のような従来の欠点に鑑み、大きな目地カバーを用いることなく目地部が広くなっても目地カバーが目地部内へ入り込んで、元に戻る時に損傷させたりするのを確実に阻止することができるとともに、必要時に目地カバーをドアのように簡単に開くことができる壁面用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の壁面間の目地部を覆う一端部が一方の建物の躯体にヒンジ部材を介して回動可能に取付けられ、他端部が他方の建物の壁面に沿ってスライド移動可能な目地カバーと、この目地カバーの遊端部である他端部を常時他方の建物の壁面に当接するように付勢する付勢機構と、前記目地カバーの遊端部である他端部が地震等で目地部が広がった時に、前記目地部内へ入り込むのを阻止する該目地部の隙部間にコイルスプリングやゴム等の付勢部材を介して張り渡されたワイヤー等の目地カバー侵入阻止杆とで壁面用目地装置を構成している。
【０００７】
【発明の実施の形態】
以下、図面に示す実施の形態より、本発明を詳細に説明する。
【０００８】
図１ないし図１１に示す本発明の第１の実施の形態において、１は目地部２を介して建てられた左右の建物３、３の壁面３ａ、３ａ間の目地部２を覆う壁面用目地装置で、この壁面用目地装置１は前記壁面３ａ、３ａ間の目地部２を覆う一端部が一方の建物３の躯体３ｂにヒンジ部材４を介して回動可能に取付けられ、他端部が他方の建物３の壁面３ａに沿ってスライド移動可能な目地カバー５と、この目地カバー５の遊端部である他端部を常時他方の建物３の壁面３ａに当接するように付勢する付勢機構６と、前記目地カバー５の遊端部である他端部が地震等で目地部２が広がった時に、前記目地部２内へ入り込むのを阻止する該目地部２の端部間にコイルスプリングやゴム等の付勢部材７を介して張り渡されたワイヤー等の目地カバー侵入阻止杆８とで構成されている。
【０００９】
前記目地カバー５は図４に示すように、角パイプ材等で形成された枠状のフレーム本体９と、このフレーム本体９間を複数個に仕切るように設けられた複数個の補強バー１０と、前記フレーム本体９の表面を覆うように複数本のビス１１等によって固定された、ステンレス、アルミ合金等の金属板製の目地カバー板１２とで構成されている。
【００１０】
前記ヒンジ部材４は図５に示すように、クランク状に形成された複数本のビス１３等によって固定される一方の取付け板１４と、この一方の取付け板１４の先端部に形成された玉縁形状の軸部１５と、この軸部１５と所定量回動可能に取付けられるＣ字状の軸受部１６が形成された、前記目地カバー５のフレーム本体９に複数本のビス１７等によって固定される他方の取付け板１８とで構成されている。
【００１１】
前記付勢機構６は図６に示すように、前記他方の建物３の目地部２の端部の躯体３ｂに複数本のビス１９等によって固定された、前記目地カバー５側が傾斜面２０に形成されたガイド部材２１と、このガイド部材２１にガイドされ、一端部が前記目地カバー５の遊端部側補強バー１０に固定され、他端部が他方の建物３の該ガイド部材２１の下部位置の躯体３ｂに固定された、コイルスプリングやゴム等の付勢部材２２を介して張り渡されたロープ、ワイヤー等の目地カバー付勢杆２３とで構成されている。
なお、本発明の実施の形態ではコイルスプリングとワイヤーとで目地カバー付勢杆２３を形成したものを使用している。
【００１２】
前記目地カバー侵入阻止杆８は図７に示すように、一端部が前記付勢機構６のガイド部材２１の傾斜面２０に固定され、他端部が前記ヒンジ部材４の一方の取付け板１４に取付けられたガイドローラー２４を介して一方の建物３の、該ガイドローラー２４の下部位置の躯体３ｂに固定されている。
なお、本発明の実施の形態ではコイルスプリングとワイヤーとで目地カバー侵入阻止杆８を形成したものを使用している。
【００１３】
上記構成の壁面用目地装置１は地震等によって左右の建物３、３が揺れ動き、目地部２が狭くなった場合には、図８に示すように目地カバー５の遊端部が他方の建物３の壁面３ａ上をスライド移動して、その揺れ動きを吸収する。
【００１４】
目地部２が広くなった場合には、図９に示すように目地カバー５が一方の建物３と一体になって移動し、該目地カバー５の遊端部が他方の建物３の壁面３ａから離れるが、目地カバー侵入阻止杆８と接触し、目地部２内へ侵入するのを阻止された状態となる。
また、目地カバー５が元に戻る時には目地カバー５の遊端部が目地カバー侵入阻止杆８に沿ってスライド移動し、他方の建物３の壁面３ａへ導かれる。
【００１５】
左右の建物３、３が異なる前後方向に揺れ動いた場合には、図１０に示すように目地カバー５がヒンジ部材４によって回動して、その揺れ動きを吸収することができる。
【００１６】
目地カバー５を開放して保守点検や非常時には図１１に示すように、目地カバー５の遊端部を前方へ回動させることにより、付勢機構６の付勢部材２２が伸長して、ドアの開放のように開放させることができる。
【００１７】
【発明の異なる実施の形態】
次に、図１２ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１２ないし図１４に示す本発明の第２の実施の形態において、前記本発明の第１の実施の形態と主に異なる点は、目地カバー５を蝶番状のヒンジ部材４Ａを用いて一方の建物３の躯体３ｂに取付けた点で、このように構成した壁面用目地装置１Ａにしても前記本発明の第１の実施の形態と同様な作用効果が得られる。
【００１９】
図１５ないし図１７に示す本発明の第３の実施の形態において、前記本発明の第１の実施の形態と主に異なる点は、重り２５を使用した付勢機構６Ａと重りの付勢部材７Ａを使用した目地カバー侵入阻止杆８Ａとを用いた点で、このよう形成した付勢機構６Ａと目地カバー侵入阻止杆８Ａとを用いた壁面用目地装置１Ｂにしても、前記本発明の第１の実施の形態と同様な作用効果が得られる。
【００２０】
【発明の効果】
以上の説明から明らかなように、本発明にあっては次に列挙する効果が得られる。
【００２１】
（１）目地部を介して建てられた左右の建物の壁面間の目地部を覆う一端部が一方の建物の躯体にヒンジ部材を介して回動可能に取付けられ、他端部が他方の建物の壁面に沿ってスライド移動可能な目地カバーと、この目地カバーの遊端部である他端部を常時他方の建物の壁面に当接するように付勢する付勢機構と、前記目地カバーの遊端部である他端部が地震等で目地部が広がった時に、前記目地部内へ入り込むのを阻止する該目地部の隙部間にコイルスプリングやゴム等の付勢部材を介して張り渡されたワイヤー等の目地カバー侵入阻止杆とで構成されているので、目地カバーの遊端部を他方の建物の壁面に当接するように付勢機構で付勢するとともに、目地カバーの遊端部が目地部内へ入り込むのを目地カバー侵入阻止杆で阻止することができる。
したがって、目地カバーの遊端部が前方へ回動して、目地部が開放状態になるのを確実に阻止することができるとともに、地震等で目地部が広くなり、元に戻る場合に、目地カバーの遊端部が目地部内に入り込んで損傷するのを確実に防止することができる。
【００２２】
（２）前記（１）によって、保守・点検あるいは火災等の非常時には目地カバーの遊端部をドアのように開放することができる。
したがって、裏側へ容易に入り込むことができ、保守・点検を楽に行なうことができるとともに、非常時の脱出口としても利用することができる。
【００２３】
（３）前記（１）によって、構造が簡単で、容易に設置することができる。
【００２４】
（４）請求項２も前記（１）〜（３）と同様な効果が得られる。
【図面の簡単な説明】
【図１】本発明の第１の実施の形態の使用状態の正面図。
【図２】本発明の第１の実施の形態の背面図。
【図３】図１の３−３線に沿う拡大断面図。
【図４】本発明の第１の実施の形態の目地カバーの説明図。
【図５】本発明の第１の実施の形態のヒンジ部材の説明図。
【図６】本発明の第１の実施の形態の付勢機構の説明図。
【図７】本発明の第１の実施の形態の目地カバー侵入阻止杆の説明図。
【図８】本発明の第１の実施の形態の目地部が狭くなった動作説明図。
【図９】本発明の第１の実施の形態の目地部が広くなった動作説明図。
【図１０】本発明の第１の実施の形態の異なる前後方向の動作説明図。
【図１１】目地カバーの遊端部を開放する時の説明図。
【図１２】本発明の第２の実施の形態の使用状態の正面図。
【図１３】本発明の第２の実施の形態の背面図。
【図１４】図１２の１４−１４線に沿う拡大断面図。
【図１５】本発明の第３の実施の形態の使用状態の正面図。
【図１６】本発明の第３の実施の形態の背面図。
【図１７】図１５の１７−１７線に沿う拡大断面図。
【符号の説明】
１、１Ａ、１Ｂ：壁面用目地装置、
２：目地部、            ３：建物、
３ａ：壁面、            ３ｂ：躯体、
４、４Ａ：ヒンジ部材、  ５：目地カバー、
６、６Ａ：付勢機構、    ７：付勢部材、
８、８Ａ：目地カバー侵入阻止杆、
９：フレーム本体、      １０：補強バー、
１１：ビス、            １２：目地カバー板、
１３：ビス、            １４：一方の取付け板、
１５：軸部、            １６：軸受部、
１７：ビス、            １８：他方の取付け板、
１９：ビス、            ２０：傾斜面、
２１：ガイド部材、      ２２、２２Ａ：付勢部材、
２３：目地カバー付勢杆、２４：ガイドローラー。
【図１】
0003629204.tif 000002
【図２】
0003629204.tif 000003
【図３】
0003629204.tif 000004
【図４】
0003629204.tif 000005
【図５】
0003629204.tif 000006
【図６】
0003629204.tif 000007
【図７】
0003629204.tif 000008
【図８】
0003629204.tif 000009
【図９】
0003629204.tif 000010
【図１０】
0003629204.tif 000011
【図１１】
0003629204.tif 000012
【図１２】
0003629204.tif 000013
【図１３】
0003629204.tif 000014
【図１４】
0003629204.tif 000015
【図１５】
0003629204.tif 000016
【図１６】
0003629204.tif 000017
【図１７】
0003629204.tif 000018